(57)【要約】【課題】支持アンカー部材を損傷させてしまう虞れがなく、しかも簡単に塔状構造物の基礎の補強を行うことができる塔状構造物基礎の補強構造および塔状構造物基礎の補強方法を提供すること。【解決手段】塔状構造物１の基礎を補強するための構造であって、塔状構造物１の基礎を構成する台座部１０において塔状構造物１の外周方向に沿って埋設された複数の長尺状の支持アンカー部材１１の外方域に、塔状構造物１の中心軸を中心にして該塔状構造物１の外周方向に沿って配設された補強アンカー部材２１と、補強アンカー部材２１の上端部２１ｂに取り付けられて台座部１０の上面に固定配置された押圧部材２２とを備え、押圧部材２２は、支持アンカー部材１１の下端部１１ａを頂部として支持アンカー部材１１の長手方向に対して４５°の角度をなす円錐面と台座部１０の上面との交線で定義される破壊領域Ａの少なくとも一部を覆う態様で配置してある。【選択図】        図２
2008196280.tif 000002
【特許請求の範囲】
【請求項１】
塔状構造物の基礎を補強するための構造であって、
前記塔状構造物の基礎を構成する台座部において前記塔状構造物の外周方向に沿って埋設された複数の長尺状の支持アンカー部材の外方域に、前記塔状構造物の中心軸を中心にして該塔状構造物の外周方向に沿って配設された補強アンカー部材と、
前記補強アンカー部材の上端部に取り付けられて前記台座部の上面に固定配置された押圧部材と
を備え、
前記押圧部材は、前記支持アンカー部材の下端部を頂部として該支持アンカー部材の長手方向に対して４５°の角度をなす円錐面と前記台座部の上面との交線で定義される破壊領域の少なくとも一部を覆う態様で配置してあることを特徴とする塔状構造物基礎の補強構造。
【請求項２】
塔状構造物の基礎を補強するための構造であって、
前記塔状構造物の基礎を構成する台座部において前記塔状構造物の下端部から径外方向に突出する態様で埋設された支持アンカー部材の外方域に、前記塔状構造物の中心軸を中心にして該塔状構造物の外周方向に沿って配設された補強アンカー部材と、
前記補強アンカー部材の上端部に取り付けられて前記台座部の上面に固定配置された押圧部材と
を備え、
前記押圧部材は、前記支持アンカー部材の突出端部を基準として塔状構造物の延在方向に対して外方側に４５°の角度をなす直線が塔状構造物の外周方向に沿って集合することにより形成される曲面と、前記台座部の上面との交線で定義される破壊領域の少なくとも一部を覆う態様で配置してあることを特徴とする塔状構造物基礎の補強構造。
【請求項３】
前記台座部は、前記支持アンカー部材の外方域にコンクリートを打設して形成した増設部を有し、該増設部内に拘束部材を配設してあることを特徴とする請求項１または請求項２に記載の塔状構造物の補強構造。
【請求項４】
前記台座部の外側面を取り囲む態様で配設された台座拘束部材を備えたことを特徴とする請求項１〜３のいずれか一つに記載の塔状構造物基礎の補強構造。
【請求項５】
前記押圧部材は、環状の形態をなし、補強アンカー部材の上端部に取り付けられて前記台座部の上面に固定配置されてなることを特徴とする請求項１〜４のいずれか一つに記載の塔状構造物基礎の補強構造。
【請求項６】
塔状構造物の基礎を補強するための方法であって、
前記塔状構造物の基礎を構成する台座部において前記塔状構造物の外周方向に沿って埋設された複数の長尺状の支持アンカー部材の外方域に、前記塔状構造物の中心軸を中心にして該塔状構造物の外周方向に沿って補強アンカー部材を配設する補強アンカー配設工程と、
前記支持アンカー部材の下端部を頂部として該支持アンカー部材の長手方向に対して４５°の角度をなす円錐面と前記台座部の上面との交線で定義される破壊領域の少なくとも一部を覆う態様で、前記補強アンカー部材の上端部に貫通された状態で前記台座部の上面に押圧部材を固定配置する押圧部材配置工程と
を含むことを特徴とする塔状構造物基礎の補強方法。
【発明の詳細な説明】
【技術分野】
【０００１】
本発明は、塔状構造物基礎の補強構造および塔状構造物基礎の補強方法に関する。
【背景技術】
【０００２】
従来、例えば煙突等の塔状構造物においては、設計風速や地震力等の条件変更を受けて該塔状構造物の基礎を補強する必要が生じる場合がある。このような補強の一例を述べると、塔状構造物の下端部に高強度繊維シートを基礎の接合部まで貼付し、縦方向に延長する押えプレートとこのプレートの外面から横方向に延長するアンカー鉄筋とを有する定着具の該押えプレートを高強度繊維シートを貼付した塔状構造物の外面に取り付け、該定着具のアンカー鉄筋を補強用基礎の鉄筋に添接して、コンクリートを打設することにより行っている（例えば、特許文献１参照）。
【０００３】
【特許文献１】特開平５−１７１６２０号公報
【発明の開示】
【発明が解決しようとする課題】
【０００４】
ところが、上述したような補強例では、補強用基礎が元々の基礎を含んで非常に大きなものとなるために、かかる補強用基礎を形成するために新たに多量のコンクリートを打設しなければならず、しかもかかる多量のコンクリートを打設するためのスペースを形成しなければならないために煩雑なものになる虞れがある。
【０００５】
ところで、塔状構造物の基礎を構成する台座部において該塔状構造物の外周方向に沿って複数の支持アンカー部材が既に埋設されている場合がある。このような場合、支持アンカー部材の引き抜き抵抗力を高めることによって塔状構造物の基礎を補強できることが知られている。そのため、支持アンカー部材の上端部（頭部）を直接板部材等で押さえつけることにより引き抜き抵抗力を高めることが考えられるが、これでは支持アンカー部材を損傷してしまう虞れがある。
【０００６】
本発明は、上記実情に鑑みて、支持アンカー部材を損傷させてしまう虞れがなく、しかも簡単に塔状構造物の基礎の補強を行うことができる塔状構造物基礎の補強構造および塔状構造物基礎の補強方法を提供することを目的とする。
【課題を解決するための手段】
【０００７】
上記目的を達成するために、本発明の請求項１に係る塔状構造物基礎の補強構造は、塔状構造物の基礎を補強するための構造であって、前記塔状構造物の基礎を構成する台座部において前記塔状構造物の外周方向に沿って埋設された複数の長尺状の支持アンカー部材の外方域に、前記塔状構造物の中心軸を中心にして該塔状構造物の外周方向に沿って配設された補強アンカー部材と、前記補強アンカー部材の上端部に取り付けられて前記台座部の上面に固定配置された押圧部材とを備え、前記押圧部材は、前記支持アンカー部材の下端部を頂部として該支持アンカー部材の長手方向に対して４５°の角度をなす円錐面と前記台座部の上面との交線で定義される破壊領域の少なくとも一部を覆う態様で配置してあることを特徴とする。
【０００８】
また、本発明の請求項２に係る塔状構造物の補強構造は、塔状構造物の基礎を補強するための構造であって、前記塔状構造物の基礎を構成する台座部において前記塔状構造物の下端部から径外方向に突出する態様で埋設された支持アンカー部材の外方域に、前記塔状構造物の中心軸を中心にして該塔状構造物の外周方向に沿って配設された補強アンカー部材と、前記補強アンカー部材の上端部に取り付けられて前記台座部の上面に固定配置された押圧部材とを備え、前記押圧部材は、前記支持アンカー部材の突出端部を基準として塔状構造物の延在方向に対して外方側に４５°の角度をなす直線が塔状構造物の外周方向に沿って集合することにより形成される曲面と、前記台座部の上面との交線で定義される破壊領域の少なくとも一部を覆う態様で配置してあることを特徴とする。
【０００９】
また、本発明の請求項３に係る塔状構造物の補強構造は、上述した請求項１または請求項２において、前記台座部は、前記支持アンカー部材の外方域にコンクリートを打設して形成した増設部を有し、該増設部内に拘束部材を配設してあることを特徴とする。
【００１０】
また、本発明の請求項４に係る塔状構造物の補強構造は、上述した請求項１〜３のいずれか一つにおいて、前記台座部の外側面を取り囲む態様で配設された台座拘束部材を備えたことを特徴とする。
【００１１】
また、本発明の請求項５に係る塔状構造物の補強構造は、上述した請求項１〜４のいずれか一つにおいて、前記押圧部材は、環状の形態をなし、補強アンカー部材の上端部に取り付けられて前記台座部の上面に固定配置されてなることを特徴とする。
【００１２】
また、本発明の請求項６に係る塔状構造物の補強方法は、塔状構造物の基礎を補強するための方法であって、前記塔状構造物の基礎を構成する台座部において前記塔状構造物の外周方向に沿って埋設された複数の長尺状の支持アンカー部材の外方域に、前記塔状構造物の中心軸を中心にして該塔状構造物の外周方向に沿って補強アンカー部材を配設する補強アンカー配設工程と、前記支持アンカー部材の下端部を頂部として該支持アンカー部材の長手方向に対して４５°の角度をなす円錐面と前記台座部の上面との交線で定義される破壊領域の少なくとも一部を覆う態様で、前記補強アンカー部材の上端部に貫通された状態で前記台座部の上面に押圧部材を固定配置する押圧部材配置工程とを含むことを特徴とする。
【発明の効果】
【００１３】
本発明の塔状構造物基礎の補強構造によれば、塔状構造物の基礎を構成する台座部において塔状構造物の外周方向に沿って埋設された複数の長尺状の支持アンカー部材の外方域に、補強アンカー部材が塔状構造物の中心軸を中心にして該塔状構造物の外周方向に沿って配設してあり、補強アンカー部材の上端部に取り付けられて台座部の上面に固定配置された押圧部材が支持アンカー部材の下端部を頂部として該支持アンカー部材の長手方向に対して４５°の角度をなす円錐面と台座部の上面との交線で定義される破壊領域の少なくとも一部を覆う態様で配置してあるので、支持アンカー部材の引き抜き抵抗力を向上させて補強を行うことができ、しかも支持アンカー部材自体に何らかの加工を施すわけではないので、支持アンカー部材が破損してしまう虞れがない。また、支持アンカー部材の外方域に補強アンカー部材を配設して、該補強アンカー部材を通じて押圧部材を台座部の上面に固定配置するだけなので、従前のようにコンクリートを打設するための大きなスペース等を形成する必要もなく簡単な工程で行うことができる。従って、支持アンカー部材を損傷させてしまう虞れがなく、しかも簡単に塔状構造物の基礎の補強を行うことができるという効果を奏する。
【００１４】
また、本発明の塔状構造物基礎の補強構造によれば、塔状構造物の基礎を構成する台座部において塔状構造物の下端部から径外方向に突出する態様で埋設された支持アンカー部材の外方域に、補強アンカー部材が塔状構造物の中心軸を中心にして該塔状構造物の外周方向に沿って配設してあり、補強アンカー部材の上端部に取り付けられて台座部の上面に固定配置された押圧部材が支持アンカー部材の突出端部を基準として塔状構造物の延在方向に対して外方側に４５°の角度をなす直線が塔状構造物の外周方向に沿って集合することにより形成される曲面と、台座部の上面との交線で定義される破壊領域の少なくとも一部を覆う態様で配置してあるので、塔状構造物の引き抜き抵抗力を向上させて補強を行うことができ、しかも支持アンカー部材自体に何らかの加工を施すわけではないので、支持アンカー部材が破損してしまう虞れがない。また、支持アンカー部材の外方域に補強アンカー部材を配設して、該補強アンカー部材を通じて押圧部材を台座部の上面に固定配置するだけなので、従前のようにコンクリートを打設するための大きなスペース等を形成する必要もなく簡単な工程で行うことができる。従って、支持アンカー部材を損傷させてしまう虞れがなく、しかも簡単に塔状構造物の基礎の補強を行うことができるという効果を奏する。
【００１５】
また、本発明の塔状構造物基礎の補強方法によれば、塔状構造物の基礎を構成する台座部において塔状構造物の外周方向に沿って埋設された複数の長尺状の支持アンカー部材の外方域に、塔状構造物の中心軸を中心にして該塔状構造物の外周方向に沿って補強アンカー部材を配設する補強アンカー配設工程と、支持アンカー部材の下端部を頂部として該支持アンカー部材の長手方向に対して４５°の角度をなす円錐面と台座部の上面との交線で定義される破壊領域の少なくとも一部を覆う態様で、補強アンカー部材の上端部に貫通された状態で台座部の上面に押圧部材を固定配置する押圧部材配置工程とを含むので、支持アンカー部材の引き抜き抵抗力を向上させて補強を行うことができ、しかも支持アンカー部材自体に何らかの加工を施すわけではないので、支持アンカー部材が破損してしまう虞れがない。また、支持アンカー部材の外方域に補強アンカー部材を配設して、該補強アンカー部材を通じて押圧部材を台座部の上面に固定配置するだけなので、従前のようにコンクリートを打設するための大きなスペース等を形成する必要もなく簡単な工程で行うことができる。従って、支持アンカー部材を損傷させてしまう虞れがなく、しかも簡単に塔状構造物の基礎の補強を行うことができるという効果を奏する。
【発明を実施するための最良の形態】
【００１６】
以下に添付図面を参照しながら、本発明に係る塔状構造物基礎の補強構造および塔状構造物基礎の補強方法の好適な実施の形態について詳細に説明する。尚、以下においては、説明の便宜上、塔状構造物基礎の補強構造について説明しながら、適宜塔状構造物基礎の補強方法についても説明する。
【００１７】
＜実施の形態１＞
図１および図２は、それぞれ本発明の実施の形態１における塔状構造物の構成を模式的に示すものであり、図１は平面図、図２は断面側面図である。ここに例示する塔状構造物１は、例えば煙突のようなものであって、上下方向に沿って延在し、かつ上方に向かうにつれて外径が漸次小さくなる形態を有するものである。
【００１８】
このような塔状構造物１の基礎は、塔状構造物１の下方部に設けてあり、多角柱状の形態をなす台座部１０を有している。ここで、台座部１０の形態の一例として多角柱状を示しているが、本発明では台座部１０の形態は特に限定されるものではなく、円柱状の形態を有するものであっても構わない。
【００１９】
台座部１０は、塔状構造物１の下部よりも十分に大きい外幅を有しており、該塔状構造物１の周囲には、塔状構造物１の外周方向に沿って複数の支持アンカー部材１１が既に埋設してある。
【００２０】
このような支持アンカー部材１１は、上下方向が長手方向となる長尺状のものであり、下端部１１ａが鉤状の形態をなし、上端部１１ｂが台座部１０の上面を貫通するとともに該台座部１０の上面に配設されたベースプレート１２を貫通しナット部材１３により締結されて、台座部１０に埋設されている。図１中の符号１４は、基礎内部に設けられた支持アンカー補強筋であり、符号１５は、基礎の底版部である。尚、ここで例示する支持アンカー部材１１は、下端部１１ａが鉤状の形態をなすものであったが、本発明では支持アンカー部材１１の下端部１１ａの形態は特に限定されるものではなく、下端部１１ａに支持アンカー部材１１の長手方向に直交する方向に延在するプレートを取り付けたものであっても構わない。
【００２１】
上述したような塔状構造物１では次のような基礎の補強構造２０を有している。塔状構造物基礎の補強構造２０は、複数の補強アンカー部材２１と、押圧部材２２と、台座拘束部材２３とを備えている。
【００２２】
複数の補強アンカー部材２１は、支持アンカー部材１１よりも長い長尺状の鋼棒体である。これら補強アンカー部材２１は、台座部１０における支持アンカー部材１１の外方域に、それぞれが塔状構造物１の中心軸を中心にして該塔状構造物１の外周方向に沿って埋設してある。より詳細には、これら補強アンカー部材２１の下端部２１ａが底版部１５に進入した態様で支持されるとともに、上端部２１ｂが台座部１０の上面より上方に突出した態様で台座部１０に埋設してある。
【００２３】
押圧部材２２は、鋼板よりなり、かつ円環状の形態をなす板状体である。この押圧部材２２は、内径が塔状構造物１の下部の外径よりも十分に大きく、より詳細には、塔状構造物１の周囲に配設された支持アンカー部材１１により形成される配設円よりも僅かに大きい。このような押圧部材２２は、補強アンカー部材２１の上端部２１ｂが貫通するための貫通孔（図示せず）が周方向に沿って複数形成してあり、該貫通孔が補強アンカー部材２１の上端部２１ｂに貫通されて該上端部２１ｂが図示しないナット部材により締結される結果、台座部１０の上面に固定配置してある。つまり、押圧部材２２は、補強アンカー部材２１の上端部２１ｂに取り付けられて台座部１０の上面に固定配置してある。尚、押圧部材２２は、分割形成されており、分割形成されたものが集合して円環状の形態をなすようにしても構わない。
【００２４】
ここで、押圧部材２２の配置個所についてより詳細に説明する。図３に示すように、押圧部材２２の一部分、つまり補強アンカー部材２１に貫通された部分より内方側の部分が、支持アンカー部材１１の破壊領域Ａの一部を覆う態様で配置してある。この破壊領域Ａとは、支持アンカー部材１１の下端部１１ａを頂部として該支持アンカー部材１１のロッド部１１ｃの延在方向、すなわち支持アンカー部材１１の長手方向に対して４５°の角度をなす円錐面と台座部１０の上面との交線で定義される領域のことをいう。このような破壊領域Ａは、支持アンカー部材１１が引き抜かれる際に同時に引き抜かれてしまう、つまり破壊される領域である。
【００２５】
台座拘束部材２３は、例えば鋼板で台座部１０の外側面を取り囲む態様で配設したもの、あるいはＰＣ鋼線で台座部１０の外側面を巻回して取り囲む態様で配設したものである。かかる台座拘束部材２３は、台座部１０の外側面を拘束することにより、該台座部１０が外方に向けて拡大することを抑制するためのものである。図１に示すように、台座部１０が多角柱状をなす場合には、台座拘束部材２３による拘束力を高めるために、台座部１０と台座拘束部材２３との間に例えばモルタルやコンクリート等の充填材２４を充填することが望ましい。
【００２６】
以上のような構成を有する塔状構造物基礎の補強構造２０は次のようにして得られる。以下に、塔状構造物基礎の補強方法の一例について述べる。
【００２７】
まず台座部１０の所定域、すなわち既設の支持アンカー部材１１の外方域に、塔状構造物１の中心軸を中心にして該塔状構造物１の外周方向に沿って複数のアンカー用孔（図示せず）を削り加工等により形成する。アンカー用孔（図示せず）は、底版部１５にも進出する態様で形成する。そして、それぞれのアンカー用孔（図示せず）に補強アンカー部材２１を挿入させて、該補強アンカー部材２１の下端部２１ａがアンカー用孔（図示せず）の最下端部、すなわち底版部１５に進入した状態で樹脂等で定着させる（補強アンカー配置工程）。この時、補強アンカー部材２１の上端部２１ｂは、台座部１０の上面より突出している。
【００２８】
次に、円環状の押圧部材２２に形成してある貫通孔に補強アンカー部材２１の上端部２１ｂを貫通させ、該上端部２１ｂをナット部材で締結することにより、該押圧部材２２を台座部１０の上面に固定配置する（押圧部材配置工程）。かかる場合に、押圧部材２２の一部が破壊領域Ａの少なくとも一部を覆う態様で固定する。
【００２９】
このような押圧部材配置工程を行った後に、台座部１０の外側面を鋼板よりなる台座拘束部材２３で巻回して、上述したような補強構造２０を得る。尚、台座部１０と台座拘束部材２３との間に間隙が生じる場合には、該間隙にモルタルやコンクリート等の充填材２４を充填する。
【００３０】
以上のような構成を有する塔状構造物基礎の補強構造２０によれば、台座部１０に埋設された複数の支持アンカー部材１１の外方域に、補強アンカー部材２１がそれぞれが塔状構造物１の中心軸を中心にして該塔状構造物１の外周方向に沿って配設してあり、補強アンカー部材２１の上端部２１ｂに貫通された態様で台座部１０の上面に固定配置した押圧部材２２が支持アンカー部材１１の下端部１１ａを頂部として該支持アンカー部材１１の長手方向に対して４５°の角度をなす円錐面と台座部１０の上面との交線で定義される破壊領域Ａの少なくとも一部を覆う態様で配置してあるので、支持アンカー部材１１の引き抜き抵抗力を向上させて補強を行うことができ、しかも支持アンカー部材１１自体に何らかの加工を施すわけではないので、支持アンカー部材１１が破損してしまう虞れがない。また、支持アンカー部材１１の外方域に補強アンカー部材２１を配設して、該補強アンカー部材２１を通じて押圧部材２２を台座部１０の上面に固定配置するだけなので、従前のようにコンクリートを打設するための大きなスペース等を形成する必要もなく簡単な工程で行うことができる。従って、支持アンカー部材１１を損傷させてしまう虞れがなく、しかも簡単に塔状構造物１の基礎の補強を行うことができる。
【００３１】
上記塔状構造物基礎の補強構造２０によれば、台座拘束部材２３を台座部１０の外側面に巻回する態様で配設したので、台座部１０が外方に拡大することを抑制して台座部１０の拘束力を向上させることができる結果、台座部１０の強度を向上させることができ、これによっても塔状構造物１の基礎の補強を行うことができる。
【００３２】
また、本発明の実施の形態における塔状構造物基礎の補強方法によれば、台座部１０に埋設された複数の支持アンカー部材１１の外方域に、塔状構造物１の中心軸を中心にして該塔状構造物１の外周方向に沿って複数の補強アンカー部材２１を配設する補強アンカー配設工程と、破壊領域Ａの少なくとも一部を覆う態様で補強アンカー部材２１の上端部２１ｂに貫通された状態で台座部１０の上面に押圧部材２２を固定配置する押圧部材配置工程とを含むので、支持アンカー部材１１の引き抜き抵抗力を向上させて補強を行うことができ、しかも支持アンカー部材１１自体に何らかの加工を施すわけではないので、支持アンカー部材１１が破損してしまう虞れがない。また、支持アンカー部材１１の外方域に補強アンカー部材２１を配設して、該補強アンカー部材２１を通じて押圧部材２２を台座部１０の上面に固定配置するだけなので、従前のようにコンクリートを打設するための大きなスペース等を形成する必要もなく簡単な工程で行うことができる。従って、支持アンカー部材１１を損傷させてしまう虞れがなく、しかも簡単に塔状構造物１の基礎の補強を行うことができる。
【００３３】
以上、本発明の好適な実施の形態１について説明したが、本発明はかかる実施の形態１に限定されるものではなく、種々の変更を行うことができる。すなわち、図４に示すように、押圧部材２２ａは、円環状の形態をなす板状体である必要はなく、補強アンカー部材２１のそれぞれに対応して設けられた個別の板状体であっても構わない。この場合でも、押圧部材２２ａの一部が破壊領域Ａの少なくとも一部を覆う態様で配置することは言うまでもない。このような構成によっても上述したような実施の形態１と同様の効果を奏することができる。また、補強アンカー部材２１の配設位置も、台座部１０に配設する余裕がない場合には、モルタルやコンクリート等の充填材２４とともに台座部１０と台座拘束部材２３との隙間に配設するようにしても良い。
【００３４】
＜実施の形態２＞
図５および図６は、それぞれ本発明の実施の形態２における塔状構造物の構成を模式的に示すものであり、図５は平面図、図６は断面側面図である。尚、上述した実施の形態１における塔状構造物と同一の構成を有するものには同一の符号を付して説明する。ここに例示する塔状構造物１は、例えば煙突のようなものであって、上下方向に沿って延在し、かつ上方に向かうにつれて外径が漸次小さくなる形態を有するものである。
【００３５】
このような塔状構造物１の基礎は、塔状構造物１の下方部に設けてあり、円柱状の形態をなす台座部１００を有している。台座部１００は、基部１０１と、増設部１０２とを有して構成してある。
【００３６】
基部１０１は、塔状構造物１の下部よりも僅かに大きい外幅を有した多角形状をなしており、該塔状構造物１の周囲には、塔状構造物１の外周方向に沿って複数の支持アンカー部材１１が既に埋設してある。ここで、基部１０１の形態の一例として多角柱状を示しているが、本発明では基部１０１の形態は特に限定されるものではなく、円柱状の形態を有するものであっても構わない。
【００３７】
このような支持アンカー部材１１は、上下方向が長手方向となる長尺状のものであり、下端部１１ａが鉤状の形態をなし、上端部１１ｂが基部１０１の上面を貫通するとともに該基部１０１の上面に配設されたベースプレート１２を貫通しナット部材１３により締結されて、基部１０１に埋設されている。図５中の符号１４は、基礎内部に設けられた支持アンカー補強筋であり、符号１５は、基礎の底版部である。尚、ここで例示する支持アンカー部材１１は、下端部１１ａが鉤状の形態をなすものであったが、本発明では支持アンカー部材１１の下端部１１ａの形態は特に限定されるものではなく、下端部１１ａに支持アンカー部材１１の長手方向に直交する方向に延在するプレートを取り付けたものであっても構わない。
【００３８】
増設部１０２は、基部１０１の周囲に形成してあり、より詳細には、該基部１０１を囲繞する態様で形成してある。この増設部１０２は、基部１０１の周囲を取り囲む態様で、すなわち支持アンカー部材１１の外方域に鉄筋１０３を配設してコンクリートを打設することにより形成したものである。かかる増設部１０２を形成したことにより、台座部１００は、上述の通り円柱状の形態をなしている。ここで例示した増設部１０２は、鉄筋１０３を配設してコンクリートを打設することにより形成されたものであるが、本発明ではこれに限定されることなく、増設部１０２は、鉄筋１０３に替えてＰＣ鋼線を配設してコンクリートを打設することにより形成されたものであっても構わない。これら鉄筋１０３やＰＣ鋼線は、後述する台座拘束部材２３と同様に、該台座部１００が外方に向けて拡大することを抑制する機能を有する拘束部材を構成する。
【００３９】
上述したような塔状構造物１では次のような基礎の補強構造２００を有している。塔状構造物基礎の補強構造２００は、複数の補強アンカー部材２１と、押圧部材２２ａと、台座拘束部材２３とを備えている。
【００４０】
複数の補強アンカー部材２１は、支持アンカー部材１１よりも長い長尺状の鋼棒体である。これら補強アンカー部材２１は、台座部１００における支持アンカー部材１１の外方域で、かつ鉄筋１０３の内方域に、すなわち台座部１００を構成する増設部１０２にそれぞれが塔状構造物１の中心軸を中心にして該塔状構造物１の外周方向に沿って埋設してある。より詳細には、これら補強アンカー部材２１の下端部２１ａが底版部１５に進入した態様で支持されるとともに、上端部２１ｂが台座部１００（増設部１０２）の上面より上方に突出した態様で台座部１００（増設部１０２）に埋設してある。
【００４１】
押圧部材２２は、鋼板よりなり、かつ円環状の形態をなす板状体である。この押圧部材２２は、内径が塔状構造物１の下部の外径よりも十分に大きく、より詳細には、塔状構造物１の周囲に配設された支持アンカー部材１１により形成される配設円よりも僅かに大きい。このような押圧部材２２は、補強アンカー部材２１の上端部２１ｂが貫通するための貫通孔（図示せず）が周方向に沿って複数形成してあり、該貫通孔が補強アンカー部材２１の上端部２１ｂに貫通されて該上端部２１ｂが図示しないナット部材により締結される結果、台座部１００（基部１０１および増設部１０２）の上面に固定配置してある。尚、押圧部材２２は、分割形成されており、分割形成されたものが集合して円環状の形態をなすようにしても構わない。
【００４２】
ここで、押圧部材２２の配置個所についてより詳細に説明する。図７に示すように、押圧部材２２の一部分、つまり補強アンカー部材２１に貫通された部分より内方側の部分が、支持アンカー部材１１の破壊領域Ａの一部を覆う態様で配置してある。この破壊領域Ａとは、支持アンカー部材１１の下端部１１ａを頂部として該支持アンカー部材１１のロッド部１１ｃの延在方向、すなわち支持アンカー部材１１の長手方向に対して４５°の角度をなす円錐面と台座部１００の上面との交線で定義される領域のことをいう。このような破壊領域Ａは、支持アンカー部材１１が引き抜かれる際に同時に引き抜かれてしまう、つまり破壊される領域である。
【００４３】
台座拘束部材２３は、例えば鋼板からなり、台座部１００の外側面（外周面）を取り囲む態様で配設したもの、あるいはＰＣ鋼線で台座部１００の外側面を巻回して取り囲む態様で配設したものである。かかる台座拘束部材２３は、台座部１００の外周面を拘束することにより、該台座部１００が外方に向けて拡大することを抑制するためのものである。
【００４４】
以上のような構成を有する塔状構造物基礎の補強構造２００は次のようにして得られる。以下に、塔状構造物基礎の補強方法の一例について述べる。
【００４５】
まず底版部１５の所定域、より詳細には、支持アンカー部材１１が配設個所よりも外方側となる領域に、塔状構造物１の中心軸を中心にして該塔状構造物１の外周方向に沿って複数のアンカー用孔（図示せず）を削り加工等により形成する。そして、それぞれのアンカー用孔に補強アンカー部材２１を挿入して樹脂等で定着させる。その後、補強アンカー部材２１の外周域に鉄筋１０３を塔状構造物１の外周方向に沿って配設し、その後にかかる鉄筋１０３を巻き込んでコンクリートを打設して増設部１０２を形成する。これにより、補強アンカー部材２１は、下端部２１ａが底版部１５に進入した態様で支持されるとともに、上端部２１ｂが台座部１００（増設部１０２）の上面より上方に突出した態様で台座部１００（増設部１０２）に埋設される。
【００４６】
次に、円環状の押圧部材２２に形成してある貫通孔に補強アンカー部材２１の上端部２１ｂを貫通させ、該上端部２１ｂをナット部材で締結することにより、該押圧部材２２を台座部１００の上面に固定配置する。かかる場合に、押圧部材２２の一部が破壊領域Ａの少なくとも一部を覆う態様で固定する。その後、台座部１００の外周面を鋼板よりなる台座拘束部材２３で巻回して、上述したような補強構造２００を得る。
【００４７】
以上のような構成を有する塔状構造物基礎の補強構造２００によれば、複数の支持アンカー部材１１の外方域にコンクリートを打設して台座部１００を構成し、補強アンカー部材２１がコンクリートを打設した部位にそれぞれが塔状構造物１の中心軸を中心にして該塔状構造物１の外周方向に沿って配設してあり、押圧部材２２が補強アンカー部材２１の上端部２１ｂに貫通された態様で台座部１００の上面に固定配置して支持アンカー部材１１の下端部１１ａを頂部として該支持アンカー部材１１の長手方向に対して４５°の角度をなす円錐面と台座部１００の上面との交線で定義される破壊領域Ａの少なくとも一部を覆うので、支持アンカー部材１１の引き抜き抵抗力を向上させて補強を行うことができ、しかも支持アンカー部材１１自体に何らかの加工を施すわけではないので、支持アンカー部材１１が破損してしまう虞れがない。また、支持アンカー部材１１の外方域に補強アンカー部材２１を配設して、該補強アンカー部材２１を通じて押圧部材２２を台座部１００の上面に固定配置するだけなので、従前のようにコンクリートを打設するための大きなスペース等を形成する必要もなく簡単な工程で行うことができる。従って、支持アンカー部材１１を損傷させてしまう虞れがなく、しかも簡単に塔状構造物１の基礎の補強を行うことができる。特に、本実施の形態２では、埋設された支持アンカー部材１１の外方域にコンクリートを打設するだけで台座部１００を構成できるので、支持アンカー部材１１の埋設個所が十分な大きさを有していない場合に有用である。
【００４８】
上記塔状構造物基礎の補強構造２００によれば、台座拘束部材２３を台座部１００における増設部１０２の外周面を取り囲む態様で配設したので、台座部１００が外方に拡大することを抑制して台座部１００の拘束力を向上させることができる結果、台座部１００の強度を向上させることができ、これによっても塔状構造物１の基礎の補強を行うことができる。
【００４９】
以上、本発明の好適な実施の形態２について説明したが、本発明はかかる実施の形態２に限定されるものではなく、種々の変更を行うことができる。すなわち、図８に示すように、押圧部材２２ａは、円環状の形態をなす板状体である必要はなく、補強アンカー部材２１のそれぞれに対応して設けられた個別の板状体であっても構わない。この場合でも、押圧部材２２の一部が破壊領域Ａの少なくとも一部を覆う態様で配置することは言うまでもない。このような構成によっても上述したような実施の形態２と同様の効果を奏することができる。
【００５０】
また、上述した実施の形態２では、補強アンカー部材２１を樹脂等で固定した後に、コンクリートを打設して増設部１０２を形成することにより台座部１００を構成したが、本発明では、基部の周囲に鉄筋、あるいはＰＣ鋼線を塔状構造物の外周方向に沿って配設した後にコンクリートを打設して増設部を形成し、その後にアンカー用孔を形成して補強アンカー部材を配設しても構わない。またこれとは別に、基部の周囲に鉄筋、あるいはＰＣ鋼線を塔状構造物の外周方向に沿って配設するとともに、その外方域に鋼板よりなる台座拘束部材を無端状に配設し、かかる台座拘束部材を枠体としてコンクリートを打設することにより増設部を形成し、その後にアンカー用孔を形成して補強アンカー部材を配設しても構わない。
【００５１】
更に、本発明では、増設部１０２に配設された鉄筋１０３（やＰＣ鋼線）は、台座部１００が外方域に向けて拡大することを抑制する拘束部材を構成しているので、台座拘束部材２３を省略しても構わない。また、補強アンカー部材２１は、基部１０１に配設しても構わない。
【００５２】
＜実施の形態３＞
図９および図１０は、それぞれ本発明の実施の形態３における塔状構造物の構成を模式的に示すものであり、図９は平面図、図１０は断面側面図である。尚、上述した実施の形態１における塔状構造物と同一の構成を有するものには同一の符号を付して説明する。ここに例示する塔状構造物１′は、例えば鋼管のような形態をなし、上下方向に沿って延在する円柱状のものである。
【００５３】
このような塔状構造物１′の基礎は、塔状構造物１′の下方部に設けてあり、多角柱状の形態をなす台座部１０を有している。ここで、台座部１０の形態の一例として多角柱状を示しているが、本発明では台座部１０の形態は特に限定されるものではなく、円柱状の形態を有するものであっても構わない。
【００５４】
台座部１０は、塔状構造物１′の下部よりも十分に大きい外幅を有しており、該塔状構造物１′の下端部が埋設されている。そして、塔状構造物１′の下端部には、その周面に径外方向に突出する態様で鍔状の支持アンカー部材１１０が設けてある。ここで、図１中の符号１４は、基礎内部に設けられた支持アンカー補強筋であり、符号１５は、基礎の底版部である。
【００５５】
上述したような塔状構造物１′では次のような基礎の補強構造２０１を有している。塔状構造物基礎の補強構造２０１は、複数の補強アンカー部材２１と、押圧部材２２と、台座拘束部材２３とを備えている。
【００５６】
複数の補強アンカー部材２１は、長尺状の鋼棒体である。これら補強アンカー部材２１は、台座部１０における支持アンカー部材１１０の外方域に、それぞれが塔状構造物１′の中心軸を中心にして該塔状構造物１′の外周方向に沿って埋設してある。より詳細には、これら補強アンカー部材２１の下端部２１ａが底版部１５に進入した態様で支持されるとともに、上端部２１ｂが台座部１０の上面より上方に突出した態様で台座部１０に埋設してある。
【００５７】
押圧部材２２は、鋼板よりなり、かつ円環状の形態をなす板状体である。この押圧部材２２は、内径が塔状構造物１′の下部の外径よりも十分に大きく、より詳細には、塔状構造物１′の周囲に配設された支持アンカー部材１１０により形成される配設円よりも僅かに大きい。このような押圧部材２２は、補強アンカー部材２１の上端部２１ｂが貫通するための貫通孔（図示せず）が周方向に沿って複数形成してあり、該貫通孔が補強アンカー部材２１の上端部２１ｂに貫通されて該上端部２１ｂが図示しないナット部材により締結される結果、台座部１０の上面に固定配置してある。
【００５８】
ここで、押圧部材２２の配置個所についてより詳細に説明する。図１１に示すように、押圧部材２２の一部分、つまり補強アンカー部材２１に貫通された部分より内方側の部分が、支持アンカー部材１１０の破壊領域Ｂの一部を覆う態様で配置してある。この破壊領域Ｂとは、支持アンカー部材１１０の突出端部１１０ａを基準として塔状構造物１′の延在方向（二点鎖線で例示）に対して外方側に４５°の角度をなす直線が塔状構造物１′の外周方向に沿って集合することにより形成される曲面と、台座部の上面との交線で定義される領域のことをいう。このような破壊領域Ｂは、塔状構造物１′が引き抜かれる際に同時に引き抜かれてしまうこととなる、つまり破壊される領域である。
【００５９】
台座拘束部材２３は、例えば鋼板からなり、台座部１０の外側面を取り囲む態様で配設してある。かかる台座拘束部材２３は、台座部１０の外側面を拘束することにより、該台座部１０が外方に向けて拡大することを抑制するためのものである。図９に示すように、台座部１０が多角柱状をなす場合には、台座拘束部材２３による拘束力を高めるために、台座部１０と台座拘束部材２３との間に例えばモルタルやコンクリート等の充填材２４を充填することが望ましい。
【００６０】
以上のような構成を有する塔状構造物基礎の補強構造２０１は次のようにして得られる。以下に、塔状構造物基礎の補強方法の一例ついて述べる。
【００６１】
まず台座部１０の所定域、すなわち既設の支持アンカー部材１１０の外方域に、塔状構造物１′の中心軸を中心にして該塔状構造物１′の外周方向に沿って複数のアンカー用孔（図示せず）を削り加工等により形成する。アンカー用孔（図示せず）は、底版部１５にも進出する態様で形成する。そして、それぞれのアンカー用孔（図示せず）に補強アンカー部材２１を挿入させて、該補強アンカー部材２１の下端部２１ａがアンカー用孔（図示せず）の最下端部、すなわち底版部１５に進入した状態で樹脂等で定着させる。この時、補強アンカー部材２１の上端部２１ｂは、台座部１０の上面より突出している。
【００６２】
次に、円環状の押圧部材２２に形成してある貫通孔に補強アンカー部材２１の上端部２１ｂを貫通させ、該上端部２１ｂをナット部材で締結することにより、該押圧部材２２を台座部１０の上面に固定配置する。かかる場合に、押圧部材２２の一部が破壊領域Ｂの少なくとも一部を覆う態様で固定する。
【００６３】
このような工程を行った後に、台座部１０の外側面を鋼板よりなる台座拘束部材２３で巻回して、上述したような補強構造２０１を得る。尚、台座部１０と台座拘束部材２３との間に間隙が生じる場合には、該間隙にモルタルやコンクリート等の充填材２４を充填する。
【００６４】
以上のような構成を有する塔状構造物基礎の補強構造２０１によれば、台座部１０に埋設された複数の支持アンカー部材１１０の外方域に、補強アンカー部材２１がそれぞれが塔状構造物１′の中心軸を中心にして該塔状構造物１′の外周方向に沿って配設してあり、補強アンカー部材２１の上端部２１ｂに貫通された態様で台座部１０の上面に固定配置した押圧部材２２が、支持アンカー部材１１０の突出端部１１０ａを基準として塔状構造物１′の延在方向に対して外方側に４５°の角度をなす直線が塔状構造物１′の外周方向に沿って集合することにより形成される曲面と台座部１０の上面との交線で定義される破壊領域Ｂの少なくとも一部を覆う態様で配置してあるので、塔状構造物１′の引き抜き抵抗力を向上させて補強を行うことができ、しかも支持アンカー部材１１０自体に何らかの加工を施すわけではないので、支持アンカー部材１１０が破損してしまう虞れがない。また、支持アンカー部材１１０の外方域に補強アンカー部材２１を配設して、該補強アンカー部材２１を通じて押圧部材２２を台座部１０の上面に固定配置するだけなので、従前のようにコンクリートを打設するための大きなスペース等を形成する必要もなく簡単な工程で行うことができる。従って、支持アンカー部材１１０を損傷させてしまう虞れがなく、しかも簡単に塔状構造物１′の基礎の補強を行うことができる。
【００６５】
上記塔状構造物基礎の補強構造２０１によれば、台座拘束部材２３を台座部１０の外側面に巻回する態様で配設したので、台座部１０が外方に拡大することを抑制して台座部１０の拘束力を向上させることができる結果、台座部１０の強度を向上させることができ、これによっても塔状構造物１′の基礎の補強を行うことができる。また本実施の形態３において、台座部１０を基部１０１と増設部１０２とから構成されるものとしても構わない。
【００６６】
以上、本発明の好適な実施の形態１〜３およびその変形例について説明したが、本発明はこれらに限定されるものではなく種々の変更を行うことができる。例えば、上述した実施の形態１〜３では、台座拘束部材２３を用いていたが、本発明では、台座拘束部材２３は必須のものではなく、必要に応じて設けるものであっても構わない。
【００６７】
また、上述した実施の形態３では、鍔状の支持アンカー部材１１０を設けた場合について説明したが、本発明では、塔状構造物の下端部の周面の任意の個所から径外方向に向けて突出する態様で配設された支持アンカー部材であっても構わない。
【００６８】
更に、本発明では、図１２に示すように、例えば鋼板等よりなる補強アンカー部材２１０を台座部１０の外側面を取り囲む態様で配設し、該補強アンカー部材２１０の上端部に取り付けられた押圧部材２２が台座部１０の上面に固定配置しても構わない。この際、押圧部材２２は、支持アンカー部材１１の破壊領域Ａ（図３参照）の少なくとも一部を覆う態様で配置してあることはいうまでもない。このような構成によっても上述したような実施の形態１における補強構造２０が奏する作用効果を発揮することが可能になり、しかも補強アンカー部材２１０が台座拘束部材２３と同様に台座部１０が外方に拡大することを抑制する機能を発揮することができる。これにより、部品点数の削減を図ることもできる。
【００６９】
その他、本実施の形態１〜３では、補強アンカー部材や押圧部材を必須としたが、場合によっては補強アンカー部材や押圧部材を省略して、上記各実施の形態での台座拘束部材だけでも構わない。
【産業上の利用可能性】
【００７０】
以上のように、本発明に係る塔状構造物基礎の補強構造および塔状構造物基礎の補強方法は、ともに例えば煙突等の塔状構造物の基礎を補強するのに有用である。
【図面の簡単な説明】
【００７１】
【図１】本発明の実施の形態１における塔状構造物の構成を模式的に示す平面図である。
【図２】本発明の実施の形態１における塔状構造物の構成を模式的に示す断面側面図である。
【図３】図１に示した塔状構造物の要部を示した説明図である。
【図４】図１に示した本発明の実施の形態１における塔状構造物の変形例を模式的に示した平面図である。
【図５】本発明の実施の形態２における塔状構造物の構成を模式的に示す平面図である。
【図６】本発明の実施の形態２における塔状構造物の構成を模式的に示す断面側面図である。
【図７】図５に示した塔状構造物の要部を示した説明図である。
【図８】図５に示した本発明の実施の形態２における塔状構造物の変形例を模式的に示した平面図である。
【図９】本発明の実施の形態３における塔状構造物の構成を模式的に示す平面図である。
【図１０】本発明の実施の形態３における塔状構造物の構成を模式的に示す断面側面図である。
【図１１】図９に示した塔状構造物の要部を示した説明図である。
【図１２】本発明の塔状構造物の変形例を模式的に示す断面側面図である。
【符号の説明】
【００７２】
１，１′        塔状構造物
１０，１００      台座部
１１，１１０      支持アンカー部材
１１ａ    下端部
１１ｂ    上端部
１１ｃ    ロッド部
２０，２００，２０１      補強構造
２１，２１０      補強アンカー部材
２１ａ    下端部
２１ｂ    上端部
２２，２２ａ      押圧部材
２３      台座拘束部材
１０１    基部
１０２    増設部
１０３    鉄筋
Ａ，Ｂ    破壊領域
【図１】
2008196280.tif 000003
【図２】
2008196280.tif 000004
【図３】
2008196280.tif 000005
【図４】
2008196280.tif 000006
【図５】
2008196280.tif 000007
【図６】
2008196280.tif 000008
【図７】
2008196280.tif 000009
【図８】
2008196280.tif 000010
【図９】
2008196280.tif 000011
【図１０】
2008196280.tif 000012
【図１１】
2008196280.tif 000013
【図１２】
2008196280.tif 000014